(57)【要約】【課題】コンクリート打設後であっても容易に回転させることが可能なレベル表示具を提供する。【解決手段】本発明のレベル表示具１０は、雄ネジ１２を有する長手状のレベル表示具本体１１と、レベル表示具本体１１に設けられ、コンクリートの打設目標高さを示す第一表示部１３と、第一表示部１３よりも上方に設けられ、レべリング材の打設目標高さを示す第二表示部１４と、を備える。レベル表示具本体１１のうち第一表示部１３よりも上方の少なくとも一部は、レベル表示具本体１１の長手軸に直交する断面視で非真円形状である。【選択図】図２
2020016083.tif 000002
【特許請求の範囲】
【請求項１】
レベル表示具であって、
ネジ部を有する長手状のレベル表示具本体と、
前記レベル表示具本体に設けられ、コンクリートの打設目標高さを示す表示部と、
を備え、
前記レベル表示具本体のうち前記表示部よりも上方の少なくとも一部は、前記レベル表示具本体の長手軸に直交する断面視で非真円形状である、
ことを特徴とするレベル表示具。
【請求項２】
前記レベル表示具本体の頂部は、前記非真円形状である、
請求項１に記載のレベル表示具。
【請求項３】
前記非真円形状の部位の下部には、前記非真円形状の部位よりも縮小した縮小部が連続している、
請求項２に記載のレベル表示具。
【請求項４】
前記非真円形状の部位は、前記表示部の位置まで延びている、
請求項２に記載のレベル表示具。
【請求項５】
前記非真円形状は、多角形である、
請求項１から４のいずれか１項に記載のレベル表示具。
【請求項６】
前記非真円形状は、六角形である、
請求項５に記載のレベル表示具。
【請求項７】
前記非真円形状は、楕円形である、
請求項１から４のいずれか１項に記載のレベル表示具。
【請求項８】
請求項１から７のいずれか１項に記載のレベル表示具を高さ調節するための調節具用の調節補助具であって、
補助具本体と、
前記補助具本体に設けられ、前記非真円形状の部位と係合する係合部と、
を備え、
前記係合部は、前記非真円形状の部位と嵌合する、前記非真円形状の部位と相補的形状の開口部を有する、
ことを特徴とする調節補助具。
【請求項９】
前記レベル表示具本体の頂部に当接して、前記頂部に視認可能な目印を付与する外観変化付与部をさらに備え、
前記補助具本体は中空内部を有しており、
前記外観変化付与部は前記補助具本体内に設けられており、
前記補助具本体には、前記外観変化付与部の下端を外部から視認可能な貫通開口部が形成されている、
請求項８に記載の調節補助具。
【請求項１０】
請求項１から７のいずれか１項に記載のレベル表示具を高さ調節するための調節具であって、
請求項８又は９に記載の調節補助具を備える、
ことを特徴とする調節具。
【発明の詳細な説明】
【技術分野】
【０００１】
本発明は、コンクリートの打設目標高さを示す表示部を備えたレベル表示具に関する。本発明は、当該レベル表示具を高さ調節するための調節具、及び、当該調節具用の調節補助具にも関する。
【背景技術】
【０００２】
コンクリート基礎を施工する際には、コンクリートの打設前に、コンクリートの打設目標高さを示す目印をあらかじめ設置しておく必要がある。このような目印として、従来、図８（ａ）に示すレベル表示具が使用されている。また、このようなレベル表示具は特許文献１にも開示されている。
【０００３】
図８（ａ）を参照して従来のレベル表示具について説明する。図８（ａ）は従来のレベル表示具１００の斜視図、図８（ｂ）は図８（ａ）のＶＩＩＩｂ−ＶＩＩＩｂ線断面図である。図８（ａ）に示すレベル表示具１００は、レベル表示具本体１０１と、雄ネジ１０２と、二つの第一表示部１０３と、第二表示部１０４とを備える。レベル表示具本体１０１は、上下方向に延びる棒状である。雄ネジ１０２はレベル表示具本体１０１の表面に形成されている。図８（ｂ）に示すように、レベル表示具本体１０１のうち、第一表示部１０３よりも上方の部位１０１ａは、レベル表示具本体１０１の長手軸に対して垂直な断面視で真円形状である。二つの第一表示部１０３は、雄ネジ１０２よりも上方で、且つ、レベル表示具本体１０１の周方向に所定間隔あけて形成されている。第一表示部１０３は、コンクリートの打設目標高さを示すコンクリート用目印として機能する。第二表示部１０４はレベル表示具本体１０１の頂部であり、レべリング材の打設目標高さを示すレベリング材用目印として機能する。第一表示部１０３と第二表示部１０４との上下方向間の間隔は、打設予定のレベリング材の厚みに合わせて予め設定されている。レベル表示具１００は、鉄筋Ｔ（図８（ａ）では横筋）に取り付けられた取付補助具Ｘに上下動可能に保持される。レベル表示具１００は、建物の大きさにもよるが、住宅用のコンクリート基礎を施工する場合には、数百本使用される。
【０００４】
図９を参照して従来のレベル表示具１００を回転させて高さ調節するための従来の調節具２００及び調節補助具３００について説明する。図９（ａ）は従来の調節具２００及び調節補助具３００の正面図である。図９（ｂ）は従来の調節補助具３００と従来のレベル表示具１００とが係合した状態の正面図である。調節具２００は、カバー２０１と、シャフト２０２と、ハンドル２０３と、調節補助具３００と、を備える。シャフト２０２はカバー２０１内に挿通されている。ハンドル２０３は、シャフト２０２の一端に固定されている。調節補助具３００は、シャフト２０２の他端に取り付けられている。カバー２０１には、レーザレベルからのレーザ光を受光するレベルセンサが取り付けられる。
【０００５】
調節補助具３００は、補助具本体３０１と、係合部３０２と、を備える。係合部３０２は補助具本体３０１に一体的に形成され、補助具本体３０１から下方に延びている。係合部３０２は矩形状であり、上下方向全長にわたって同一の幅を有している。係合部３０２は、二つの第一表示部１０３の周方向間に挿入される。係合部３０２の先端は、第一表示部１０３よりも下方にはみ出る。
【０００６】
調節具２００では、ハンドル２０３の回転に伴い、シャフト２０２及び調節補助具３００も回転する。そして、調節補助具３００の回転に伴い、係合部３０２が第一表示部１０３に当接し、レベル表示具１００を回転させることができる。レベル表示具１００を高さ調節する際には、レーザレベル及びレベルセンサを使用して、目印が打設目標高さに到達したか否かを判断する。
【先行技術文献】
【特許文献】
【０００７】
【特許文献１】特開２０１５−０５２２１９号公報
【発明の概要】
【発明が解決しようとする課題】
【０００８】
従来の調節具では、係合部を第一表示部間に上方から挿入する際に、係合部が第一表示部に引っ掛かり、スムーズに挿入できないことがあった。
【０００９】
また、上記の通り、レベル表示具の第一表示部（コンクリート用目印）は、コンクリートを打設する前にあらかじめ打設目標高さに設置される。しかしながら、第一表示部が、本来設置されるべき打設目標高さに一旦設置されたとしても、例えば作業者が鉄筋の上を歩くことにより鉄筋が下がり、その結果、一部のレベル表示具の第一表示部が打設目標高さから下がってしまうこともある。あるいは、作業者の手違いにより、一部のレベル表示具の第一表示部が本来設置されるべき打設目標高さとは異なる高さ位置に設置されてしまうことがある。この状態で、正しい位置に設置されたレベル表示具の第一表示部に合わせてコンクリートを打設すると、間違って設置されたレベル表示具においては、コンクリートの天端面が第一表示部よりも上又は下に位置することになる。一方、間違った位置に設置されたレベル表示具の第一表示部に合わせてコンクリートを打設すると、正しい位置に設置されたレベル表示具においては、同様に、コンクリートの天端面が第一表示部よりも上又は下に位置することになる。この場合、作業者はレベル表示具の高さを再度確認し、コンクリートが硬化する前に、本来設置されるべき打設目標高さからズレたレベル表示具を再調節する必要がある。なお、第一表示部が打設目標高さからズレているとはいっても、通常、打設目標高さから大きくはズレておらず、したがって、打設されたコンクリートの天端面の位置は第一表示部から大きくはズレていない。よって、従来の調節具によりレベル表示具を再調節する場合、調節補助具の係合部がコンクリートに侵入してしまうことになる。コンクリートが付着した調節補助具は再利用できなくなる。そのため、レベル表示具を再調節する際に、従来の調節補助具を使用することはできる限り避けることが望ましい。
【００１０】
このような問題を解決するため、レベル表示具本体のうち打設後のコンクリートの天端面から突出する部位、すなわち、第一表示部よりも上方の部位を利用してレベル表示具を回転させることが考えられる。しかし、従来のレベル表示具のこの部位は、図８（ｂ）に示すように、レベル表示具本体の長手軸に直交する断面視で真円形状であるため、調節補助具の係合部をこの部位と嵌合するよう改良しても、係合部の当該部位への引っ掛かりが悪く、回転させた際に空回りすることが予想される。
【００１１】
本発明は、コンクリート打設後であっても容易に回転させることが可能なレベル表示具を提供することを目的とする。また、このようなレベル表示具を回転させるための調節具及び調節補助具を提供することも目的とする。
【課題を解決するための手段】
【００１２】
本発明は下記に掲げる態様の発明を提供する。
（項目１）
レベル表示具であって、
ネジ部を有する長手状のレベル表示具本体と、
前記レベル表示具本体に設けられ、コンクリートの打設目標高さを示す表示部と、
を備え、
前記レベル表示具本体のうち前記表示部よりも上方の少なくとも一部は、前記レベル表示具本体の長手軸に直交する断面視で非真円形状である、
ことを特徴とするレベル表示具。
（項目２）
前記レベル表示具本体の頂部は、前記非真円形状である、
項目１に記載のレベル表示具。
（項目３）
前記非真円形状の部位の下部には、前記非真円形状の部位よりも縮小した縮小部が連続している、
項目２に記載のレベル表示具。
（項目４）
前記非真円形状の部位は、前記表示部の位置まで延びている、
項目２に記載のレベル表示具。
（項目５）
前記非真円形状は、多角形である、
項目１から４のいずれか１項に記載のレベル表示具。
（項目６）
前記非真円形状は、六角形である、
項目５に記載のレベル表示具。
（項目７）
前記非真円形状は、楕円形である、
項目１から４のいずれか１項に記載のレベル表示具。
（項目８）
項目１から７のいずれか１項に記載のレベル表示具を高さ調節するための調節具用の調節補助具であって、
補助具本体と、
前記補助具本体に設けられ、前記レベル表示具と係合する係合部と、
を備え、
前記係合部は、前記非真円形状の部位と嵌合する、前記非真円形状の部位と相補的形状の開口部を有する、
ことを特徴とする調節補助具。
（項目９）
前記レベル表示具本体の頂部に当接して、前記頂部に視認可能な目印を付与する外観変化付与部をさらに備え、
前記補助具本体は中空内部を有しており、
前記外観変化付与部は前記補助具本体内に設けられており、
前記補助具本体には、前記外観変化付与部の下端を外部から視認可能な貫通開口部が形成されている、
項目８に記載の調節補助具。
（項目１０）
項目１から７のいずれか１項に記載のレベル表示具を高さ調節するための調節具であって、
項目８又は９に記載の調節補助具を備える、
ことを特徴とする調節具。
【発明の効果】
【００１３】
レベル表示具本体のうち表示部よりも上方の部位は、通常、打設後のコンクリートの天端面から突出する。本発明のレベル表示具では、この部位の少なくとも一部が、レベル表示具本体の長手軸に直交する断面視で非真円形状となっているため、調節補助具の係合部を非真円形状の部位と嵌合するよう構成すれば、係合部がこの非真円形状の部位に引っ掛かり易くなり、調節補助具の空回りを防止することができる。
【００１４】
調節補助具の係合部は、非真円形状の部位と相補的形状で、且つ、非真円形状の部位と嵌合する開口部を有する。そのため、調節補助具を回転させた際に、係合部は非真円形状の部位に引っ掛かる。これにより、調節補助具は空回りすることなくレベル表示具を回転させることができる
【図面の簡単な説明】
【００１５】
【図１】レベル表示具の斜視図である。
【図２】（ａ）レベル表示具の平面図、（ｂ）レベル表示具の正面図、（ｃ）レベル表示具の右側面図、（ｄ）は図１のＩＩｄ−ＩＩｄ線断面図である。
【図３】（ａ）レベル表示具の変形例の斜視図、（ｂ）（ａ）のＩＩＩｂ−ＩＩＩｂ線断面図である。
【図４】（ａ）から（ｃ）はレベル表示具の変形例の正面図である。
【図５】調節具及び調節補助具の正面図である。
【図６】（ａ）保護キャップ無しの調節補助具の正面図、（ｂ）（ａ）のＶＩｂ−ＶＩｂ線断面図、（ｃ）保護キャップ有りの調節補助具の正面図、（ｄ）（ｃ）の縦断面図である。
【図７】（ａ）調節補助具をレベル表示具に係合させた状態の正面図、（ｂ）調節後のレベル表示具の斜視図である。
【図８】（ａ）従来のレベル表示具の斜視図、（ｂ）（ａ）のＶＩＩＩｂ−ＶＩＩＩｂ線断面図である。
【図９】（ａ）従来の調節具及び調節補助具の正面図、（ｂ）従来の調節補助具と従来のレベル表示具とが係合した状態の正面図である。
【発明を実施するための形態】
【００１６】
本発明について図面を参照しながら説明する。以下で説明する実施形態は、本発明の好ましい一具体例を示すものである。本発明は、以下の実施形態に限定されず、その主旨を逸脱しない範囲で適宜変更可能である。
【００１７】
＜レベル表示具の構成＞
まず、図１及び図２を参照してレベル表示具１０について説明する。図１は、レベル表示具１０の斜視図である。図２（ａ）から（ｃ）はそれぞれレベル表示具１０の平面図、正面図、右側面図であり、図２（ｄ）は図１のＩＩｄ−ＩＩｄ線断面図である。以下では、図１の上下をレベル表示具１０の上下として説明する。
【００１８】
レベル表示具１０は、レベル表示具本体１１と、雄ネジ１２と、複数の第一表示部１３と、第二表示部１４と、を備える。レベル表示具１０は好ましくは樹脂から成る一体成型品である。
【００１９】
レベル表示具本体１１は、上下方向に延びる棒状である。雄ネジ１２は、レベル表示具本体１１の表面に形成されている。レベル表示具１０は、鉄筋Ｔに取り付けられた取付補助具に上下動可能に保持される。この取付補助具は、図８（ａ）に示す取付補助具Ｘが使用できる。
【００２０】
第一表示部１３は雄ネジ１２よりも上方に形成されている。本実施形態におけるレベル表示具１０は二つの第一表示部１３を備えている。二つの第一表示部１３は板状である。二つの第一表示部１３は、レベル表示具本体１１の長手軸に対し対称に形成され、且つレベル表示具本体１１から横方向に延びている。第一表示部１３はコンクリートの打設目標高さを示す目印として機能する。
【００２１】
第二表示部１４は第一表示部１３よりも上方に形成されている。本実施形態では、第二表示部１４はレベル表示具本体１１の頂部である。第二表示部１４は、コンクリートの天端面に流し込まれるレベリング材の打設目標高さを示す目印として機能する。第一表示部１３と第二表示部１４との上下方向間の間隔は、打設予定のレベリング材の厚みに合わせて予め設定されている。
【００２２】
レベル表示具本体１１のうち、第一表示部１３よりも上方の部位は、レベル表示具本体１１の長手軸に直交する断面視で非真円形状である、非真円形状部１１ａを備える（図２（ｄ）参照）。本実施形態では、非真円形状部１１ａは、レベル表示具本体１１の長手軸に直交する断面視で六角形である。図１に示すように、非真円形状部１１ａは、レベル表示具本体１１の頂部から第一表示部１３よりもわずかに下方の位置まで延在している。非真円形状部１１ａは、レベル表示具本体１１の頂部から第一表示部１３の上面まで、同一径で延在している。
【００２３】
＜レベル表示具の作用効果＞
レベル表示具１０の作用効果について説明する。
【００２４】
レベル表示具本体１１の非真円形状部１１ａは、通常、コンクリートの天端面から突出する。レベル表示具本体１１が非真円形状部１１ａを有することにより、調節補助具の係合部を非真円形状部１１ａと嵌合するよう構成すれば、係合部は非真円形状部１１ａに引っ掛かり易くなる。つまり、調節補助具の係合部が非真円形状部１１ａの側面と摩擦係合することにより、調節補助具の空回りを防止することができる。
【００２５】
レベル表示具１０が本来設置されるべき打設目標高さよりも低く設置されていたとしても、通常は、レベル表示具本体１１の頂部までコンクリートが被るほど低く設置されることはない。したがって、レベル表示具本体１１の頂部に非真円形状部１１ａが設けられていることにより、少なくとも非真円形状部１１ａの上部は確実にコンクリートの天端面から突出することになる。これにより、調節補助具の係合部が係合する部位を確実に確保することができる。
【００２６】
＜レベル表示具の変形例＞
以下ではレベル表示具１０の変形例について説明する。
【００２７】
（１）非真円形状部１１ａは、楕円形（図３（ａ）及び（ｂ）参照）や六角形以外の多角形であってもよい。
【００２８】
（２）レベル表示具本体１１のうち、第一表示部１３よりも上方の部位が、その上下方向全長にわたって非真円形状部１１ａである必要はない。つまり、レベル表示具本体１１のうち第一表示部１３よりも上方の部位の一部のみが非真円形状部１１ａであってもよい。
【００２９】
図４（ａ）から（ｃ）に示すように、レベル表示具本体１１のうち、第一表示部１３よりも上方の部位は、レベル表示具本体１１の頂部から下方に延びる非真円形状部１１ａと、非真円形状部１１ａの下部に連続し、非真円形状部１１ａよりも縮小した縮小部１５と、から構成されていてもよい。縮小部１５は、レベル表示具本体１１の長手軸に直交する断面視で非真円形状であってもよく、真円形状であってもよい。
【００３０】
図４（ａ）に示す実施形態では、縮小部１５は、非真円形状部１１ａの下部から第一表示部１３近傍まで、下方に向かうにしたがい次第に縮小している。すなわち、縮小部１５は下方に向かうにしたがい縮径するテーパ状である。縮小部１５の断面は、真円形状である。
【００３１】
図４（ｂ）に示す実施形態では、縮小部１５の下部に、非真円形状部１１ａがさらに連続している。縮小部１５の断面は、真円形状である。
【００３２】
図４（ｃ）に示す実施形態は、縮小部１５の断面が非真円形状である点のみ、図４（ｂ）に示す形態と異なっている。縮小部１５の断面は非真円形状部１１ａと同一の断面形状である。つまり、非真円形状部１１ａの断面が六角形の場合、縮小部１５も六角形である。
【００３３】
非真円形状部１１ａがレベル表示具本体１１の頂部から下方に延び、且つ、非真円形状部１１ａの下方に縮小部１５が形成されていることにより、レベル表示具本体１１の頂部の非真円形状部１１ａを目立たせることができる。そのため、作業者は、レべリング材の打設目標高さを認識しやすくなる。
【００３４】
＜調節補助具及び調節具の構成＞
次に、図５から図７を参照して、レベル表示具１０を高さ調節するための調節具２０及び調節補助具３０について説明する。図５は調節補助具３０が取り付けられた調節具２０の正面図である。以下では、図５の上下を調節具２０及び調節補助具３０の上下として説明する。
【００３５】
調節具２０は、カバー２１と、シャフト２２と、ハンドル２３と、調節補助具３０と、を備える。カバー２１は断面視で角筒状の金属材料から成る。カバー２１にはレーザレベルからのレーザ光を受光するレベルセンサが取り付け可能である。シャフト２２はカバー２１内に挿通されている。ハンドル２３はシャフト２２の上端に、シャフト２２と同軸に取り付けられている。調節補助具３０はシャフト２２の下端に、シャフト２２と同軸に取り付けられている。ハンドル２３の回転に伴いシャフト２２が回転する共に、シャフト２２に取り付けられた調節補助具３０も回転する。
【００３６】
図６（ａ）は後述する保護キャップ３４５が取り外された調節補助具３０の正面図、図６（ｂ）は図６（ａ）のＶＩｂ−ＶＩｂ線断面図、図６（ｃ）は後述する保護キャップ３４５が取り付けられた調節補助具３０の正面図、図６（ｄ）は図６（ｃ）の縦断面図である。図７（ａ）は調節補助具３０をレベル表示具１０に係合させた状態の正面図、図７（ｂ）は調節後のレベル表示具１０の斜視図である。
【００３７】
調節補助具３０は、補助具本体３１と、係合部３２と、キャップ３３と、外観変化付与部３４と、を備える。補助具本体３１はその内部が中空となった筒状である。外観変化付与部３４は補助具本体３１内に設けられている。補助具本体３１、係合部３２及びキャップ３３は例えば樹脂製である。
【００３８】
図６（ａ）及び（ｄ）に示すように、補助具本体３１には、調節具２０及び調節補助具３０の使用時に、外観変化付与部３４の下端を外部から視認できるようにするための貫通開口部３５が形成されている。貫通開口部３５は、補助具本体３１を貫通し、補助具本体３１の中空内部と連通している。本実施形態において、貫通開口部３５は補助具本体３１の中心軸に対して対称に二つ形成されている。貫通開口部３５は、上下方向に延びるスリット状であり、補助具本体３１の下端から、外観変化付与部３４の下端よりもわずかに上方の位置まで延びている。
【００３９】
係合部３２は、レベル表示具１０の非真円形状部１１ａと係合する。係合部３２は、補助具本体３１内に設けられている。図６（ｂ）に示すように、係合部３２は、補助具本体３１の中心軸に対して直交する断面視で、非真円形状部１１ａと相補的形状（本実施形態では、六角形）である。すなわち、係合部３２は、補助具本体３１の内面形状を非真円形状部１１ａと相補的形状とすることにより形成されている。これにより、係合部３２には、非真円形状部１１ａと相補的形状の開口部３２１が形成される。開口部３２１は、非真円形状部１１ａよりもわずかに大きく形成されている。開口部３２１には、非真円形状部１１ａが嵌合する。
【００４０】
図６（ｄ）に示すように、キャップ３３は、挿入部３３１と、フランジ部３３２と、延出部３３３と、を備える。挿入部３３１は、補助具本体３１の中空内部に挿入される。フランジ部３３２は、補助具本体３１の上端に載置される。延出部３３３は、フランジ部３３２から上方に延出している。挿入部３３１及び延出部３３３には、シャフト２２を挿入するための凹部３３４が形成されている。補助具本体３１及び挿入部３３１には、凹部３３４と連通し、且つネジ３３５が取り付けられる貫通穴が形成されている。貫通穴の内周面には雌ネジが形成されており、ネジ３３５はその雌ネジと螺合している。これにより、キャップ３３は補助具本体３１に着脱可能に固定される。また、ネジ３３５はその先端が凹部３３４内に挿入されたシャフト２２に当接してシャフト２２を凹部３３４の内壁に押し付けることで、シャフト２２をキャップ３３に固定している。こうして、調節補助具３０は、シャフト２２に着脱可能に取り付けられる。
【００４１】
図６（ｄ）を参照して、外観変化付与部３４について説明する。外観変化付与部３４はレベル表示具１０に当接して、レベル表示具１０に外部から視認できる目印を付与する。外観変化付与部３４は係合部３２の直上に配置されている。本実施形態において、外観変化付与部３４は、レベル表示具１０を着色する着色手段３４Ａである。着色手段３４Ａとしては、例えばシャチハタ（登録商標）を利用することができる。
【００４２】
着色手段３４Ａは、印字部３４１と、吸蔵体３４２と、枠体３４３と、押さえ部材３４４と、保護キャップ３４５とを備える。印字部３４１はレベル表示具１０に接触する印面３４１ａを有している。印字部３４１の中央には貫通穴３４１ｂが形成されている。印字部３４１は例えば多孔質ゴムから成る。吸蔵体３４２は例えばスポンジから成り、着色成分を含有した着色物質を吸収して保持する。枠体３４３は補助具本体３１の中空内部に保持されている。印字部３４１及び吸蔵体３４２は、吸蔵体３４２が印字部３４１の印面３４１ａとは反対側に接触した状態で枠体３４３内に収容されている。印字部３４１には吸蔵体３４２から着色物質が供給される。印字部３４１はレベル表示具１０に文字、図形又は記号などの有色の目印を付与する。着色物質はレベル表示具１０を着色可能であれば特に限定されず、例えば水性又は油性インキなどを使用することができる。着色物質の色はレベル表示具１０と同色でないことが好ましい。
【００４３】
押さえ部材３４４は吸蔵体３４２の上方に配置され、補助具本体３１内に保持されている。押さえ部材３４４のうち吸蔵体３４２の直上に配置される部分には、貫通穴３４４ａが形成されている。キャップ３３を補助具本体３１から外すと貫通穴３４４ａから吸蔵体３４２の一部が露出する。この貫通穴３４４ａを介して、吸蔵体３４２に着色物質を補充することが可能となっている。
【００４４】
保護キャップ３４５は有底の筒状であり、補助具本体３１に着脱可能に取り付けられている。保護キャップ３４５は、印字部３４１の印面３４１ａ側に被せられており、印面３４１ａを乾燥や汚れなどから保護する。保護キャップ３４５は、補助具本体３１の下端から貫通開口部３５よりも上方の位置まで延び、補助具本体３１の下部の外側を覆っている。図６（ｃ）に示す通り、補助具本体３１に保護キャップ３４５が取り付けられた状態において、貫通開口部３５は保護キャップ３４５により塞がれており、印字部３４１は貫通開口部３５から露出していない。
【００４５】
補助具本体３１の下端と印字部３４１の印面３４１ａとの上下方向間の間隔Ｌ（図６（ｄ）参照）は、第一表示部１３とレベル表示具本体１１の頂部（第二表示部１４）との上下方向間の間隔よりも小さくなっている。そのため、図７（ａ）に示すように、係合部３２を非真円形状部１１ａに係合させた際、印面３４１ａはレベル表示具本体１１の頂部に接触するようになっている。これにより、図７（ｂ）に示すように、レベル表示具本体１１の頂部には外部から視認可能な着色物質による印Ｍが付与される。
【００４６】
＜調節具及び調節補助具の使用方法及び作用効果＞
以下では、図７（ａ）及び（ｂ）を参照して、調節具２０及び調節補助具３０の使用方法について説明する。また、それらの作用効果についても説明する。
【００４７】
保護キャップ３４５を外し、調節補助具３０の中空内部にレベル表示具１０の非真円形状部１１ａを収容するよう、調節補助具３０をレベル表示具１０に被せる。補助具本体３１の下端が第一表示部１３に当接するまで調節補助具３０を押し込む。このとき、係合部３２の開口部３２１はレベル表示具１０の非真円形状部１１ａに嵌合する。着色手段３４Ａの印面３４１ａは、レベル表示具本体１１の頂部に当接する。印面３４１ａとレベル表示具本体１１の頂部との接触状態は、貫通開口部３５を通して外部から視認可能となっている。
【００４８】
調節具２０のハンドル２３を回転させることにより、調節補助具３０を回転させる。調節補助具３０の回転に伴い、レベル表示具１０も回転する。レベル表示具１０の第二表示部１４の高さ位置がレべリング材の打設目標高さと一致するよう、レベル表示具１０の高さ調節を行う。なお、第一表示部１３と第二表示部１４との上下方向間の間隔は、打設予定のレベリング材の厚みに合わせて予め設定されているため、第二表示部１４の位置をレベリング材の打設目標高さに合わせれば、第一表示部１３の位置は自動的にコンクリートの打設目標高さに合うようになっている。
【００４９】
係合部３２は非真円形状部１１ａと嵌合する開口部３２１を有しているため、係合部３２は調節補助具３０を回転させた際に非真円形状部１１ａの側面に引っ掛かる。つまり、係合部３２と非真円形状部１１ａの側面とは摩擦係合するため、空回りすることなくレベル表示具１０を回転させることができる。
【００５０】
補助具本体３１に貫通開口部３５が設けられていることにより、貫通開口部３５を通して、外観変化付与部３４の下端（本実施形態では、印面３４１ａ）とレベル表示具本体１１の頂部とが接触しているか否か確認することができる。また、補助具本体３１内、特に、印面３４１ａにゴミが付着している場合、貫通開口部３５を通してそのゴミを除去することができる。
【００５１】
調節補助具３０が外観変化付与部３４を備えていることにより、高さ調節済みのレベル表示具１０に対して目印を付与することができる。これにより、作業者は高さ調節済みのレベル表示具１０とそうでないレベル表示具１０とを見分けることができる。着色手段３４Ａによる有色の印Ｍは目立つため特に好ましい。
【００５２】
＜調節具及び調節補助具の変形例＞
（１）着色手段３４Ａとして、例えばマーキングペンを利用することもできる。
【００５３】
（２）外観変化付与部３４は、レベル表示具１０に傷、切欠き又は穴などを形成する刃や針などであってもよい。
【００５４】
（３）貫通開口部３５は、外観変化付与部３４の下端とレベル表示具本体１１の頂部とが接触しているかどうか確認できる程度の大きさであればよく、必ずしも補助具本体３１の下端まで延びている必要はない。
【符号の説明】
【００５５】
１        レベル表示具
１１      レベル表示具本体
１１ａ    非真円形状部
１２      雄ネジ（ネジ部）
１３      第一表示部（表示部）
１４      第二表示部
１５      縮小部
２０      調節具
３０      調節補助具
３１      補助具本体
３２      係合部
３２１    開口部
３４      外観変化付与部
３５      貫通開口部
【図１】
2020016083.tif 000003
【図２】
2020016083.tif 000004
【図３】
2020016083.tif 000005
【図４】
2020016083.tif 000006
【図５】
2020016083.tif 000007
【図６】
2020016083.tif 000008
【図７】
2020016083.tif 000009
【図８】
2020016083.tif 000010
【図９】
2020016083.tif 000011